(57)【特許請求の範囲】
【請求項１】
相互に有線接続可能な第１の画像処理装置と第２の画像処理装置と、これらの画像処理装置と無線接続が可能な複数の端末装置とを備えたジョブ実行システムであって、
前記第１の画像処理装置は、
有線ネットワーク接続手段と、
無線ネットワーク接続手段と、
前記無線ネットワーク接続手段に接続中の端末装置の数が上限値に達しているかどうかを判断する上限判断手段と、
前記無線ネットワーク接続手段に接続中の端末装置について、ジョブは受信していないがジョブモードは特定済みであるかどうかを判定するジョブモード特定判断手段と、
前記上限判断手段により、無線ネットワーク接続手段と接続中の端末装置の数が上限値に達していると判断され、かつ、前記ジョブモード特定判断手段により接続中の端末装置についてジョブは受信していないがジョブモードは特定済みであると判断された状態において、他の端末装置から無線ネットワーク接続手段に対する新規接続要求があった場合、第２の画像処理装置と接続するための第１の接続情報を、前記ジョブモード特定判断手段によりジョブは受信していないがジョブモードは特定済みであると判断されたジョブモード特定済み端末装置に通知する通知手段と、
前記第１の接続情報に基づいて前記ジョブモード特定済み端末装置と接続された前記第２の画像処理装置へジョブモード特定済み端末装置から送信されたジョブを、前記第２の画像処理装置から受信する受信手段と、
前記受信手段により第２の画像処理装置を経由して受信した前記ジョブモード特定済み端末装置からのジョブを実行するジョブ実行手段と、
前記ジョブモード特定済み端末装置と第２の画像処理装置との無線接続が確立されたときに、ジョブモード特定済み端末装置との無線接続を切断する切断手段と、
を備え、
前記端末装置は、
無線ネットワーク接続手段と、
前記無線ネットワーク接続手段により、前記第１の画像処理装置及び第２の画像処理装置と無線接続するための無線ネットワーク接続手段と、
前記第１の画像処理装置にジョブを送信すると共に、前記第１の画像処理装置から前記第１の接続情報を受信した場合は、該第１の接続情報に基づいて前記無線ネットワーク接続手段により接続された第２の画像処理装置に、第１の画像処理装置と有線接続するための第２の接続情報とジョブとを送信する送信手段と、
前記第２の画像処理装置との無線接続が確立されたときに、第１の画像処理装置との無線接続を切断する切断手段と、
を備え、
前記第２の画像処理装置は、
有線ネットワーク接続手段と、
無線ネットワーク接続手段と、
前記無線ネットワーク接続手段により接続された前記ジョブモード特定済み端末装置から、前記第２の接続情報とジョブとを受信する受信手段と、
前記受信手段により受信したジョブを、受信した前記第２の接続情報に基づいて前記有線ネットワーク接続手段により接続された第１の画像処理装置に転送する転送手段と、
を備えたことを特徴とするジョブ実行システム。
【請求項２】
前記第１の画像処理装置のジョブモード特定判断手段は、前記受信手段により前記ジョブモード特定済み端末装置からジョブ開始要求を受信したとき、または第１の画像処理装置に予めプログラム登録されたジョブモードを使用するプログラム登録機能の選択要求を受信したとき、ジョブモードは特定済みと判断する請求項１に記載のジョブ実行システム。
【請求項３】
前記第１の画像処理装置は、接続中の前記ジョブモード特定済み端末装置が実行しているアプリケーションを特定するアプリケーション特定手段を備え、前記ジョブモード特定判断手段は、前記アプリケーション特定手段により特定されたアプリケーションによって操作可能なモードを取得したときにジョブモードは特定済みと判断する請求項１に記載のジョブ実行システム。
【請求項４】
前記ジョブモード特定済み端末装置は、ジョブモード特定のための操作を行ってから一定時間ジョブの投入を禁止する禁止手段を備えるとともに、前記禁止手段によるジョブの投入禁止中に、前記第１の画像処理装置から前記第１の接続情報を受信した場合、前記第２の画像処理装置のＳＳＩＤを検索し、第２の画像処理装置にパスワードを送信し、第２の画像処理装置と無線接続が確立された場合に、第２の画像処理装置へ前記第２の接続情報とジョブを送信し、ジョブモードを特定する操作を行ってから一定時間、前記第１の画像処理装置から前記第１の接続情報を受信しなかった場合には、第１の画像処理装置の接続を継続する請求項１〜３のいずれかに記載のジョブ実行システム。
【請求項５】
前記ジョブモード特定済み端末装置または第１の画像処理装置の少なくとも一方は、ジョブモード特定済み端末装置と第１の画像処理装置との距離を測定する距離測定手段を有し、前記距離測定手段により測定したジョブモード特定済み端末装置と第１の画像処理装置との距離が所定の閾値より小さい場合には、前記ジョブモード特定済み端末装置と第１の画像処理装置との接続を継続する請求項１〜４のいずれかに記載のジョブ実行システム。
【請求項６】
前記ジョブモード特定済み端末装置または第１の画像処理装置の少なくとも一方は、前記第１の画像処理装置またはジョブモード特定済み端末装置の電波強度を測定する電波強度測定手段を有し、前記電波強度測定手段により測定した第１の画像処理装置またはジョブモード特定済み端末装置の電波強度が所定の閾値より大きい場合には、前記ジョブモード特定済み端末装置と第１の画像処理装置との接続を継続する請求項１〜５のいずれかに記載のジョブ実行システム。
【請求項７】
前記ジョブモード特定済み端末装置または第１の画像処理装置の少なくとも一方は、ジョブモード特定済み端末装置から第１の画像処理装置へ送信予定のジョブにおけるデータ容量を取得するデータ容量取得手段を有し、
前記データ容量取得手段により取得したデータ容量が所定の閾値より小さい場合には、前記ジョブモード特定済み端末装置と第１の画像処理装置との接続を継続する請求項１〜６のいずれかに記載のジョブ実行システム。
【請求項８】
前記第１の画像処理装置は、自身周辺において有線接続可能な第２の画像処理装置を検索する検索手段を有し、該検索手段により有線接続可能な第２の画像処理装置が複数存在する場合は、有線接続可能な第２の画像処理装置において現在無線接続を行っている端末装置の数を取得し、接続中の端末装置の数が最も少ない第２の画像処理装置と接続するための前記第１の接続情報を前記ジョブモード特定済み端末装置へ送信する請求項１〜７のいずれかに記載のジョブ実行システム。
【請求項９】
前記第１の画像処理装置は、自身周辺において有線接続可能な第２の画像処理装置を検索する検索手段を有し、該検索手段により有線接続可能な第２の画像処理装置が複数存在する場合は、有線接続可能な第２の画像処理装置との距離を取得し、最も近い距離の第２の画像処理装置と接続するための前記第１の接続情報を前記ジョブモード特定済み端末装置へ送信する請求項１〜７のいずれかに記載のジョブ実行システム。
【請求項１０】
相互に有線接続可能な第１の画像処理装置と第２の画像処理装置と、これらの画像処理装置と無線接続が可能な複数の端末装置とを備えたジョブ実行システムで実行されるジョブ実行方法であって、
前記第１の画像処理装置は、
無線ネットワーク接続手段に接続中の端末装置の数が上限値に達しているかどうかを判断する上限判断ステップと、
前記無線ネットワーク接続手段に接続中の端末装置について、ジョブは受信していないがジョブモードは特定済みであるかどうかを判定するジョブモード特定判断ステップと、
前記上限判断ステップにより、無線ネットワーク接続手段と接続中の端末装置の数が上限値に達していると判断され、かつ、前記ジョブモード特定判断ステップにより接続中の端末装置についてジョブは受信していないがジョブモードは特定済みであると判断された状態において、他の端末装置から無線ネットワーク接続手段に対する新規接続要求があった場合、第２の画像処理装置と接続するための第１の接続情報を、前記ジョブモード特定判断ステップによりジョブは受信していないがジョブモードは特定済みであると判断されたジョブモード特定済み端末装置に通知する通知ステップと、
前記第１の接続情報に基づいて前記ジョブモード特定済み端末装置と接続された前記第２の画像処理装置へジョブモード特定済み端末装置から送信されたジョブを、前記第２の画像処理装置から受信する受信ステップと、
前記受信ステップにより第２の画像処理装置を経由して受信した前記ジョブモード特定済み端末装置からのジョブを実行するジョブ実行ステップと、
前記ジョブモード特定済み端末装置と第２の画像処理装置との無線接続が確立されたときに、ジョブモード特定済み端末装置との無線接続を切断する切断ステップと、
を実行し、
前記端末装置は、
前記第１の画像処理装置にジョブを送信すると共に、前記第１の画像処理装置から前記第１の接続情報を受信した場合は、該第１の接続情報に基づいて無線ネットワーク接続手段により接続された第２の画像処理装置に、第１の画像処理装置と有線接続するための第２の接続情報とジョブとを送信する送信ステップと、
前記第２の画像処理装置との無線接続が確立されたときに、第１の画像処理装置との無線接続を切断する切断ステップと、
を実行し、
前記第２の画像処理装置は、
無線ネットワーク接続手段により接続された前記ジョブモード特定済み端末装置から、前記第２の接続情報とジョブとを受信する受信ステップと、
前記受信ステップにより受信したジョブを、受信した前記第２の接続情報に基づいて有線ネットワーク接続手段により接続された第１の画像処理装置に転送する転送ステップと、
を実行することを特徴とするジョブ実行方法。
【請求項１１】
有線ネットワーク接続手段と、
無線ネットワーク接続手段と、
前記無線ネットワーク接続手段に接続中の端末装置の数が上限値に達しているかどうかを判断する上限判断手段と、
前記無線ネットワーク接続手段に接続中の端末装置について、ジョブは受信していないがジョブモードは特定済みであるかどうかを判定するジョブモード特定判断手段と、
前記上限判断手段により、無線ネットワーク接続手段と接続中の端末装置の数が上限値に達していると判断され、かつ、前記ジョブモード特定判断手段により接続中の端末装置についてジョブは受信していないがジョブモードは特定済みであると判断された状態において、他の端末装置から無線ネットワーク接続手段に対する新規接続要求があった場合、他の画像処理装置と接続するための第１の接続情報を、前記ジョブモード特定判断手段によりジョブは受信していないがジョブモードは特定済みであると判断されたジョブモード特定済み端末装置に通知する通知手段と、
前記ジョブモード特定済み端末装置と第２の画像処理装置との無線接続が確立されたときに、ジョブモード特定済み端末装置との無線接続を切断する切断手段と、
前記第１の接続情報に基づいて前記ジョブモード特定済み端末装置と無線接続された前記他の画像処理装置へジョブモード特定済み端末装置から送信されたジョブを、前記他の画像処理装置から受信する受信手段と、
前記受信手段により前記他の画像処理装置を経由して受信した前記ジョブモード特定済み端末装置からのジョブを実行するジョブ実行手段と、
を備えたことを特徴とする画像処理装置。
【請求項１２】
前記ジョブモード特定判断手段は、前記受信手段により前記ジョブモード特定済み端末装置からジョブ開始要求を受信したとき、または自身に予めプログラム登録されたジョブモードを使用するプログラム登録機能の選択要求を受信したとき、ジョブモードは特定済みと判断する請求項１１に記載の画像処理装置。
【請求項１３】
接続中の前記ジョブモード特定済み端末装置が実行しているアプリケーションを特定するアプリケーション特定手段を備え、前記ジョブモード特定判断手段は、前記アプリケーション特定手段により特定されたアプリケーションによって操作可能なモードを取得したときにジョブモードは特定済みと判断する請求項１１に記載の画像処理装置。
【請求項１４】
前記ジョブモード特定済み端末装置との距離を測定する距離測定手段を有し、前記距離測定手段により測定したジョブモード特定済み端末装置との距離が所定の閾値より小さい場合には、ジョブモード特定済み端末装置との接続を継続する請求項１１または１２に記載の画像処理装置。
【請求項１５】
前記ジョブモード特定済み端末装置の電波強度を測定する手段を有し、前記電波強度を測定する手段により測定したジョブモード特定済み端末装置の電波強度が所定の閾値より大きい場合には、ジョブモード特定済み端末装置との接続を継続する請求項１１〜１４のいずれかに記載の画像処理装置。
【請求項１６】
ジョブモード特定済み端末装置から受信予定のジョブにおけるデータ容量を取得するデータ容量取得手段を有し、
前記データ容量取得手段により取得したデータ容量が所定の閾値より小さい場合には、前記ジョブモード特定済み端末装置と第１の画像処理装置との接続を継続する請求項１１〜１５のいずれかに記載の画像処理装置。
【請求項１７】
自身周辺において有線接続可能な他の画像処理装置を検索する検索手段を有し、該検索手段により有線接続可能な他の画像処理装置が複数存在する場合は、有線接続可能な他の画像処理装置において現在無線接続を行っている端末装置の数を取得し、接続中の端末装置の数が最も少ない他の画像処理装置と接続するための前記第１の接続情報を前記ジョブモード特定済み端末装置へ送信する請求項１１〜１６のいずれかに記載の画像処理装置。
【請求項１８】
自身周辺において有線接続可能な他の画像処理装置を検索する検索手段を有し、該検索手段により有線接続可能な他の画像処理装置が複数存在する場合は、有線接続可能な他の画像処理装置との距離を取得し、最も近い距離の他の画像処理装置と接続するための前記第１の接続情報を前記ジョブモード特定済み端末装置へ送信する請求項１１〜１６のいずれかに記載の画像処理装置。
【請求項１９】
有線ネットワーク接続手段と無線ネットワーク接続手段とを有する画像処理装置のコンピュータに、
前記無線ネットワーク接続手段に接続中の端末装置の数が上限値に達しているかどうかを判断する上限判断ステップと、
前記無線ネットワーク接続手段に接続中の端末装置について、ジョブは受信していないがジョブモードは特定済みであるかどうかを判定するジョブモード特定判断ステップと、
前記上限判断ステップにより、無線ネットワーク接続手段と接続中の端末装置の数が上限値に達していると判断され、かつ、前記ジョブモード特定判断ステップにより接続中の端末装置についてジョブは受信していないがジョブモードは特定済みであると判断された状態において、他の端末装置から無線ネットワーク接続手段に対する新規接続要求があった場合、他の画像処理装置と無線接続するための第１の接続情報を、前記ジョブモード特定判断ステップによりジョブは受信していないがジョブモードは特定済みであると判断されたジョブモード特定済み端末装置に通知する通知ステップと、
前記ジョブモード特定済み端末装置と第２の画像処理装置との無線接続が確立されたときに、端末装置との無線接続を切断する切断ステップと、
前記第１の接続情報に基づいて前記ジョブモード特定済み端末装置と無線接続された前記他の画像処理装置へジョブモード特定済み端末装置から送信されたジョブを、前記他の画像処理装置から受信する受信ステップと、
前記受信ステップにより前記他の画像処理装置を経由して受信した前記ジョブモード特定済み端末装置からのジョブを実行するジョブ実行ステップと、
を実行させるためのジョブ実行プログラム。
【発明の詳細な説明】
【技術分野】
【０００１】
この発明は、相互に有線接続可能な第１の画像処理装置と第２の画像処理装置と、これらの画像処理装置と無線接続が可能な複数の端末装置とを備えたジョブ実行システム、ジョブ実行方法、画像処理装置及びジョブ実行プログラムに関する。
【背景技術】
【０００２】
タブレット端末やスマートフォン等の携帯端末装置の普及に伴い、オフィス環境においても携帯端末装置の利用形態が増加してきている。このような環境の中で、同じくオフィス環境で使用されている画像処理装置と携帯端末装置を接続する手段として、無線ネットワークを利用した接続も可能となってきており、画像処理装置が親機として動作する環境も構築可能である。
【０００３】
このとき、画像処理装置に搭載されている無線モジュールの制約上、携帯端末装置から画像処理装置への同時接続数の最大値が予め決まっている場合が多い。
【０００４】
例えば、画像処理装置へ携帯端末装置が無線ネットワークにより５台接続されている場合、同時接続数の上限値に達しておりそれ以降の接続ができないため、後からの利用者は画像処理装置へ無線接続することができない。
【０００５】
このような課題に対し、特許文献１には、同時接続数に達した状態で新規接続要求がなされた場合、接続中の端末装置からジョブを受信した後、その端末装置との無線接続を切断し、新規接続要求を行った端末装置と無線接続することで解決している。
【先行技術文献】
【特許文献】
【０００６】
【特許文献１】特開２０１５−１４２１６３号公報
【発明の概要】
【発明が解決しようとする課題】
【０００７】
しかし上記特許文献１に記載の技術においては、ジョブの受信が完了するまで、新規接続要求を行った端末装置と接続することができず、新規接続要求を行った端末装置は、他の端末装置のジョブの受信完了まで待たされるという課題がある。特にサイズの大きいデータを送信して印刷するようなジョブの場合には、ジョブの受信完了までに時間がかかっていた。
【０００８】
さらにジョブ投入完了後に端末装置との接続を強制的に切断する方式では、例えば端末装置からジョブを投入した後にデータに誤りがあることに気づいたが、ジョブを削除したくても接続が切断されているため、無駄にジョブが実行されてしまうという課題もある。
【０００９】
一方、端末装置からのジョブの投入完了前に無線接続を強制的に切断すると、画像処理装置との通信を途中で切る事となるので、無線接続により画像処理装置の操作画面を転送表示して画像処理装置の遠隔操作を行っている端末装置においては操作中に突然画面が表示されなくなり、操作不可となるという課題がある。また、ドライバで文書を印刷するための設定を行い、ジョブを投入しようとする段階に達しているにも関わらず、突然切断された場合は、再接続できるまで待たなければならないという課題もある。
【００１０】
この発明は、このような課題を解決するためになされたものであって、画像処理装置と無線ネットワークにより接続中の端末装置が接続可能な上限値に達している状態で、新たな端末装置からの接続要求があった場合に、接続要求を行った端末装置を待たせる時間を短くでき、しかもジョブ投入後や投入前に画像処理装置と接続中の端末装置の無線接続を強制的に切断した場合の上述した課題を解決できるジョブ実行システム、ジョブ実行方法、画像処理装置及びジョブ実行プログラムの提供することを課題とする。
【課題を解決するための手段】
【００１１】
上記課題は、以下の手段によって解決される。
（１）相互に有線接続可能な第１の画像処理装置と第２の画像処理装置と、これらの画像処理装置と無線接続が可能な複数の端末装置とを備えたジョブ実行システムであって、前記第１の画像処理装置は、有線ネットワーク接続手段と、無線ネットワーク接続手段と、前記無線ネットワーク接続手段に接続中の端末装置の数が上限値に達しているかどうかを判断する上限判断手段と、前記無線ネットワーク接続手段に接続中の端末装置について、ジョブは受信していないがジョブモードは特定済みであるかどうかを判定するジョブモード特定判断手段と、前記上限判断手段により、無線ネットワーク接続手段と接続中の端末装置の数が上限値に達していると判断され、かつ、前記ジョブモード特定判断手段により接続中の端末装置についてジョブは受信していないがジョブモードは特定済みであると判断された状態において、他の端末装置から無線ネットワーク接続手段に対する新規接続要求があった場合、第２の画像処理装置と接続するための第１の接続情報を、前記ジョブモード特定判断手段によりジョブは受信していないがジョブモードは特定済みであると判断されたジョブモード特定済み端末装置に通知する通知手段と、前記第１の接続情報に基づいて前記ジョブモード特定済み端末装置と接続された前記第２の画像処理装置へジョブモード特定済み端末装置から送信されたジョブを、前記第２の画像処理装置から受信する受信手段と、前記受信手段により第２の画像処理装置を経由して受信した前記ジョブモード特定済み端末装置からのジョブを実行するジョブ実行手段と、前記ジョブモード特定済み端末装置と第２の画像処理装置との無線接続が確立されたときに、ジョブモード特定済み端末装置との無線接続を切断する切断手段と、を備え、前記端末装置は、無線ネットワーク接続手段と、前記無線ネットワーク接続手段により、前記第１の画像処理装置及び第２の画像処理装置と無線接続するための無線ネットワーク接続手段と、前記第１の画像処理装置にジョブを送信すると共に、前記第１の画像処理装置から前記第１の接続情報を受信した場合は、該第１の接続情報に基づいて前記無線ネットワーク接続手段により接続された第２の画像処理装置に、第１の画像処理装置と有線接続するための第２の接続情報とジョブとを送信する送信手段と、前記第２の画像処理装置との無線接続が確立されたときに、第１の画像処理装置との無線接続を切断する切断手段と、を備え、前記第２の画像処理装置は、有線ネットワーク接続手段と、無線ネットワーク接続手段と、前記無線ネットワーク接続手段により接続された前記ジョブモード特定済み端末装置から、前記第２の接続情報とジョブとを受信する受信手段と、前記受信手段により受信したジョブを、受信した前記第２の接続情報に基づいて前記有線ネットワーク接続手段により接続された第１の画像処理装置に転送する転送手段と、を備えたことを特徴とするジョブ実行システム。
（２）前記第１の画像処理装置のジョブモード特定判断手段は、前記受信手段により前記ジョブモード特定済み端末装置からジョブ開始要求を受信したとき、または第１の画像処理装置に予めプログラム登録されたジョブモードを使用するプログラム登録機能の選択要求を受信したとき、ジョブモードは特定済みと判断する前項１に記載のジョブ実行システム。
（３）前記第１の画像処理装置は、接続中の前記ジョブモード特定済み端末装置が実行しているアプリケーションを特定するアプリケーション特定手段を備え、前記ジョブモード特定判断手段は、前記アプリケーション特定手段により特定されたアプリケーションによって操作可能なモードを取得したときにジョブモードは特定済みと判断する前項１に記載のジョブ実行システム。
（４）前記ジョブモード特定済み端末装置は、ジョブモード特定のための操作を行ってから一定時間ジョブの投入を禁止する禁止手段を備えるとともに、前記禁止手段によるジョブの投入禁止中に、前記第１の画像処理装置から前記第１の接続情報を受信した場合、前記第２の画像処理装置のＳＳＩＤを検索し、第２の画像処理装置にパスワードを送信し、第２の画像処理装置と無線接続が確立された場合に、第２の画像処理装置へ前記第２の接続情報とジョブを送信し、ジョブモードを特定する操作を行ってから一定時間、前記第１の画像処理装置から前記第１の接続情報を受信しなかった場合には、第１の画像処理装置の接続を継続する前項１〜３のいずれかに記載のジョブ実行システム。
（５）前記ジョブモード特定済み端末装置または第１の画像処理装置の少なくとも一方は、ジョブモード特定済み端末装置と第１の画像処理装置との距離を測定する距離測定手段を有し、前記距離測定手段により測定したジョブモード特定済み端末装置と第１の画像処理装置との距離が所定の閾値より小さい場合には、前記ジョブモード特定済み端末装置と第１の画像処理装置との接続を継続する前項１〜４のいずれかに記載のジョブ実行システム。
（６）前記ジョブモード特定済み端末装置または第１の画像処理装置の少なくとも一方は、前記第１の画像処理装置またはジョブモード特定済み端末装置の電波強度を測定する電波強度測定手段を有し、前記電波強度測定手段により測定した第１の画像処理装置またはジョブモード特定済み端末装置の電波強度が所定の閾値より大きい場合には、前記ジョブモード特定済み端末装置と第１の画像処理装置との接続を継続する前項１〜５のいずれかに記載のジョブ実行システム。
（７）前記ジョブモード特定済み端末装置または第１の画像処理装置の少なくとも一方は、ジョブモード特定済み端末装置から第１の画像処理装置へ送信予定のジョブにおけるデータ容量を取得するデータ容量取得手段を有し、前記データ容量取得手段により取得したデータ容量が所定の閾値より小さい場合には、前記ジョブモード特定済み端末装置と第１の画像処理装置との接続を継続する前項１〜６のいずれかに記載のジョブ実行システム。
（８）前記第１の画像処理装置は、自身周辺において有線接続可能な第２の画像処理装置を検索する検索手段を有し、該検索手段により有線接続可能な第２の画像処理装置が複数存在する場合は、有線接続可能な第２の画像処理装置において現在無線接続を行っている端末装置の数を取得し、接続中の端末装置の数が最も少ない第２の画像処理装置と接続するための前記第１の接続情報を前記ジョブモード特定済み端末装置へ送信する前項１〜７のいずれかに記載のジョブ実行システム。
（９）前記第１の画像処理装置は、自身周辺において有線接続可能な第２の画像処理装置を検索する検索手段を有し、該検索手段により有線接続可能な第２の画像処理装置が複数存在する場合は、有線接続可能な第２の画像処理装置との距離を取得し、最も近い距離の第２の画像処理装置と接続するための前記第１の接続情報を前記ジョブモード特定済み端末装置へ送信する前項１〜７のいずれかに記載のジョブ実行システム。
（１０）相互に有線接続可能な第１の画像処理装置と第２の画像処理装置と、これらの画像処理装置と無線接続が可能な複数の端末装置とを備えたジョブ実行システムで実行されるジョブ実行方法であって、前記第１の画像処理装置は、無線ネットワーク接続手段に接続中の端末装置の数が上限値に達しているかどうかを判断する上限判断ステップと、前記無線ネットワーク接続手段に接続中の端末装置について、ジョブは受信していないがジョブモードは特定済みであるかどうかを判定するジョブモード特定判断ステップと、前記上限判断ステップにより、無線ネットワーク接続手段と接続中の端末装置の数が上限値に達していると判断され、かつ、前記ジョブモード特定判断ステップにより接続中の端末装置についてジョブは受信していないがジョブモードは特定済みであると判断された状態において、他の端末装置から無線ネットワーク接続手段に対する新規接続要求があった場合、第２の画像処理装置と接続するための第１の接続情報を、前記ジョブモード特定判断ステップによりジョブは受信していないがジョブモードは特定済みであると判断されたジョブモード特定済み端末装置に通知する通知ステップと、前記第１の接続情報に基づいて前記ジョブモード特定済み端末装置と接続された前記第２の画像処理装置へジョブモード特定済み端末装置から送信されたジョブを、前記第２の画像処理装置から受信する受信ステップと、前記受信ステップにより第２の画像処理装置を経由して受信した前記ジョブモード特定済み端末装置からのジョブを実行するジョブ実行ステップと、前記ジョブモード特定済み端末装置と第２の画像処理装置との無線接続が確立されたときに、ジョブモード特定済み端末装置との無線接続を切断する切断ステップと、を実行し、前記端末装置は、前記第１の画像処理装置にジョブを送信すると共に、前記第１の画像処理装置から前記第１の接続情報を受信した場合は、該第１の接続情報に基づいて無線ネットワーク接続手段により接続された第２の画像処理装置に、第１の画像処理装置と有線接続するための第２の接続情報とジョブとを送信する送信ステップと、前記第２の画像処理装置との無線接続が確立されたときに、第１の画像処理装置との無線接続を切断する切断ステップと、を実行し、前記第２の画像処理装置は、無線ネットワーク接続手段により接続された前記ジョブモード特定済み端末装置から、前記第２の接続情報とジョブとを受信する受信ステップと、前記受信ステップにより受信したジョブを、受信した前記第２の接続情報に基づいて有線ネットワーク接続手段により接続された第１の画像処理装置に転送する転送ステップと、を実行することを特徴とするジョブ実行方法。
（１１）有線ネットワーク接続手段と、無線ネットワーク接続手段と、前記無線ネットワーク接続手段に接続中の端末装置の数が上限値に達しているかどうかを判断する上限判断手段と、前記無線ネットワーク接続手段に接続中の端末装置について、ジョブは受信していないがジョブモードは特定済みであるかどうかを判定するジョブモード特定判断手段と、前記上限判断手段により、無線ネットワーク接続手段と接続中の端末装置の数が上限値に達していると判断され、かつ、前記ジョブモード特定判断手段により接続中の端末装置についてジョブは受信していないがジョブモードは特定済みであると判断された状態において、他の端末装置から無線ネットワーク接続手段に対する新規接続要求があった場合、他の画像処理装置と接続するための第１の接続情報を、前記ジョブモード特定判断手段によりジョブは受信していないがジョブモードは特定済みであると判断されたジョブモード特定済み端末装置に通知する通知手段と、前記ジョブモード特定済み端末装置と第２の画像処理装置との無線接続が確立されたときに、ジョブモード特定済み端末装置との無線接続を切断する切断手段と、前記第１の接続情報に基づいて前記ジョブモード特定済み端末装置と無線接続された前記他の画像処理装置へジョブモード特定済み端末装置から送信されたジョブを、前記他の画像処理装置から受信する受信手段と、前記受信手段により前記他の画像処理装置を経由して受信した前記ジョブモード特定済み端末装置からのジョブを実行するジョブ実行手段と、を備えたことを特徴とする画像処理装置。
（１２）前記ジョブモード特定判断手段は、前記受信手段により前記ジョブモード特定済み端末装置からジョブ開始要求を受信したとき、または自身に予めプログラム登録されたジョブモードを使用するプログラム登録機能の選択要求を受信したとき、ジョブモードは特定済みと判断する前項１１に記載の画像処理装置。
（１３）接続中の前記ジョブモード特定済み端末装置が実行しているアプリケーションを特定するアプリケーション特定手段を備え、前記ジョブモード特定判断手段は、前記アプリケーション特定手段により特定されたアプリケーションによって操作可能なモードを取得したときにジョブモードは特定済みと判断する前項１１に記載の画像処理装置。
（１４）前記ジョブモード特定済み端末装置との距離を測定する距離測定手段を有し、前記距離測定手段により測定したジョブモード特定済み端末装置との距離が所定の閾値より小さい場合には、ジョブモード特定済み端末装置との接続を継続する前項１１または１２に記載の画像処理装置。
（１５）前記ジョブモード特定済み端末装置の電波強度を測定する手段を有し、前記電波強度を測定する手段により測定したジョブモード特定済み端末装置の電波強度が所定の閾値より大きい場合には、ジョブモード特定済み端末装置との接続を継続する前項１１〜１４のいずれかに記載の画像処理装置。
（１６）ジョブモード特定済み端末装置から受信予定のジョブにおけるデータ容量を取得するデータ容量取得手段を有し、前記データ容量取得手段により取得したデータ容量が所定の閾値より小さい場合には、前記ジョブモード特定済み端末装置と第１の画像処理装置との接続を継続する前項１１〜１５のいずれかに記載の画像処理装置。
（１７）自身周辺において有線接続可能な他の画像処理装置を検索する検索手段を有し、該検索手段により有線接続可能な他の画像処理装置が複数存在する場合は、有線接続可能な他の画像処理装置において現在無線接続を行っている端末装置の数を取得し、接続中の端末装置の数が最も少ない他の画像処理装置と接続するための前記第１の接続情報を前記ジョブモード特定済み端末装置へ送信する前項１１〜１６のいずれかに記載の画像処理装置。
（１８）自身周辺において有線接続可能な他の画像処理装置を検索する検索手段を有し、該検索手段により有線接続可能な他の画像処理装置が複数存在する場合は、有線接続可能な他の画像処理装置との距離を取得し、最も近い距離の他の画像処理装置と接続するための前記第１の接続情報を前記ジョブモード特定済み端末装置へ送信する前項１１〜１６のいずれかに記載の画像処理装置。
（１９）有線ネットワーク接続手段と無線ネットワーク接続手段とを有する画像処理装置のコンピュータに、前記無線ネットワーク接続手段に接続中の端末装置の数が上限値に達しているかどうかを判断する上限判断ステップと、前記無線ネットワーク接続手段に接続中の端末装置について、ジョブは受信していないがジョブモードは特定済みであるかどうかを判定するジョブモード特定判断ステップと、前記上限判断ステップにより、無線ネットワーク接続手段と接続中の端末装置の数が上限値に達していると判断され、かつ、前記ジョブモード特定判断ステップにより接続中の端末装置についてジョブは受信していないがジョブモードは特定済みであると判断された状態において、他の端末装置から無線ネットワーク接続手段に対する新規接続要求があった場合、他の画像処理装置と無線接続するための第１の接続情報を、前記ジョブモード特定判断ステップによりジョブは受信していないがジョブモードは特定済みであると判断されたジョブモード特定済み端末装置に通知する通知ステップと、前記ジョブモード特定済み端末装置と第２の画像処理装置との無線接続が確立されたときに、端末装置との無線接続を切断する切断ステップと、前記第１の接続情報に基づいて前記ジョブモード特定済み端末装置と無線接続された前記他の画像処理装置へジョブモード特定済み端末装置から送信されたジョブを、前記他の画像処理装置から受信する受信ステップと、前記受信ステップにより前記他の画像処理装置を経由して受信した前記ジョブモード特定済み端末装置からのジョブを実行するジョブ実行ステップと、を実行させるためのジョブ実行プログラム。
【発明の効果】
【００１２】
前項（１）及び（１０）に記載の発明によれば、第１の画像処理装置において、無線ネットワーク接続手段と接続中の端末装置の数が上限値に達しており、かつ、接続中の端末装置についてジョブは受信していないがジョブモードは特定済みであると判断された状態において、他の端末装置から無線ネットワーク接続手段に対する新規接続要求があった場合、第１の画像処理装置は第２の画像処理装置と接続するための第１の接続情報を、ジョブは受信していないがジョブモードは特定済みであると判断されたジョブモード特定済み端末装置に通知する。第１の画像処理装置から第１の接続情報を受信したジョブモード特定済み端末装置は、該第１の接続情報に基づいて無線接続された第２の画像処理装置に、第１の画像処理装置と接続するための第２の接続情報とジョブとを送信する。第１の画像処理装置及びジョブモード特定済み端末装置は、ジョブモード特定済み端末装置と第２の画像処理装置との無線接続が確立されたときに、ジョブモード特定済み端末装置との無線接続を切断する。
【００１３】
ジョブモード特定済み端末装置から第２の接続情報とジョブとを受信した第２の画像処理装置は、受信した第２の接続情報に基づいて有線ネットワーク接続手段により接続された第１の画像処理装置に、受信したジョブを転送する。第２の画像処理装置から転送されたジョブを受信した第１の画像処理装置は、このジョブを実行する。
【００１４】
つまり、第１の画像処理装置と無線ネットワークにより接続中の端末装置の数が接続可能な上限値に達している状態で、新たな端末装置からの接続要求があった場合には、ジョブは受信していないがジョブモードは特定済みであると判断された接続中のジョブモード特定済み端末装置からのジョブは、第１の画像処理装置へ直接に送信されることなく、第１の画像処理装置と有線接続された第２の画像処理装置を経由して送信され、また、ジョブモード特定済み端末装置と第２の画像処理装置との無線接続が確立されたときに第１の画像処理装置とジョブモード特定済み端末装置との無線接続は切断される。従って、新たな接続要求を行った端末装置が、接続中の端末装置からのジョブが終了するまで待つ必要はなくなり、ジョブモード特定済み端末装置と第１の画像処理装置との無線接続が切断されたときに、新たな接続要求を行った端末装置は速やかに第１の画像処理装置と無線接続することができる。
【００１５】
しかも、接続中の携帯端末からのジョブの投入後や投入前に、接続中の端末装置の無線接続を強制的に切断する構成ではないから、強制的に切断した場合の問題も生じない。
【００１６】
前項（２）に記載の発明によれば、第１の画像処理装置が、ジョブモード特定済み端末装置からジョブ開始要求を受信したとき、または第１の画像処理装置に予めプログラム登録されたジョブモードを使用するプログラム登録機能の選択要求を受信したときに、ジョブモードは特定済みと判断される。
【００１７】
前項（３）に記載の発明によれば、第１の画像処理装置が、接続中のジョブモード特定済み端末装置が実行しているアプリケーションを特定し、この特定されたアプリケーションによって操作可能なモードを取得したときにジョブモードは特定済みと判断される。
【００１８】
前項（４）に記載の発明によれば、端末装置は、ジョブモード特定のための操作を行ってから一定時間ジョブの投入を禁止するとともに、ジョブの投入禁止中に、第１の画像処理装置から第１の接続情報を受信した場合、第２の画像処理装置のＳＳＩＤを検索し、第２の画像処理装置にパスワードを送信し、第２の画像処理装置と無線接続が確立された場合に、第２の画像処理装置へ第２の接続情報とジョブが送信されるから、端末装置と第２の画像処理装置との無線接続を確実に行うことができる。一方、ジョブモードを特定する操作を行ってから一定時間、第１の画像処理装置から第１の接続情報を受信しなかった場合には、第１の画像処理装置との接続が継続されるから、第１の画像処理装置と端末装置との接続が不本意に中断されるのを防止できる。
【００１９】
前項（５）に記載の発明によれば、ジョブモード特定済み端末装置または第１の画像処理装置の少なくとも一方は、ジョブモード特定済み端末装置と第１の画像処理装置との距離を測定し、距離が所定の閾値より小さい場合には、快適な無線通信が行え、第１の画像処理装置はこの端末からのジョブを円滑に実行でき、新規接続要求を行っている端末装置も長時間待つことはないと考えられることから、ジョブモード特定済み端末装置と第１の画像処理装置との接続が継続される。
【００２０】
前項（６）に記載の発明によれば、ジョブモード特定済み端末装置または第１の画像処理装置の少なくとも一方は、第１の画像処理装置またはジョブモード特定済み端末装置の電波強度を測定し、電波強度が所定の閾値より大きい場合には、安定した快適な無線通信が行え、第１の画像処理装置はこのジョブモード特定済み端末装置からのジョブを円滑に実行でき、新規接続要求を行っている端末装置も長時間待つことはないと考えられることから、ジョブモード特定済み端末装置と第１の画像処理装置との接続が継続される。
【００２１】
前項（７）に記載の発明によれば、ジョブモード特定済み端末装置または第１の画像処理装置の少なくとも一方は、ジョブモード特定済み端末装置から第１の画像処理装置への送信予定のジョブにおけるデータ容量を取得するとともに、取得したデータ容量が所定の閾値より小さい場合には、ジョブの処理時間が長くないと考えられ、新規接続要求を行っている端末装置も長時間待つことはないと考えられることから、ジョブモード特定済み端末装置と第１の画像処理装置との接続が継続される。
【００２２】
前項（８）に記載の発明によれば、自身周辺において有線接続可能な第２の画像処理装置のうち、無線接続中の端末装置の数が最も少ない第２の画像処理装置が、ジョブモード特定済み端末装置との無線通信を良好に行えることから、この第２の画像処理装置と接続するための第１の接続情報をジョブモード特定済み端末装置へ送信する。
【００２３】
前項（９）に記載の発明によれば、自身周辺において有線接続可能な第２の画像処理装置のうち、第１の画像処理装置との距離が最も小さい第２の画像処理装置が、ジョブモード特定済み端末装置との距離も最も小さいと考えられ、第２の画像処理装置とジョブモード特定済み端末装置との無線通信を良好に行えることから、この第２の画像処理装置と接続するための第１の接続情報をジョブモード特定済み端末装置へ送信する。
【００２４】
前項（１１）に記載の発明によれば、新たな接続要求を行った端末装置が、接続中の携帯端末装置からのジョブが終了するまで待つ必要はなくなり、ジョブモード特定済み端末装置と第１の画像処理装置との無線接続が切断されたときに、新たな接続要求を行った端末装置が速やかに無線接続することができる画像処理装置となる。しかも、接続中の携帯端末からのジョブの投入後や投入前に、接続中の端末装置の無線接続を強制的に切断する構成ではないから、強制的に切断した場合の問題も生じない。
【００２５】
前項（１２）に記載の発明によれば、ジョブモード特定済み端末装置からジョブ開始要求を受信したとき、または自装置に予めプログラム登録されたジョブモードを使用するプログラム登録機能の選択要求を受信したときに、ジョブモードは特定済みと判断される。
【００２６】
前項（１３）に記載の発明によれば、接続中のジョブモード特定済み端末装置が実行しているアプリケーションを特定し、この特定されたアプリケーションによって操作可能なモードを取得したときにジョブモードは特定済みと判断される。
【００２７】
前項（１４）に記載の発明によれば、ジョブモード特定済み端末装置との距離が所定の閾値より小さい場合には、快適な無線通信が行え、第１の画像処理装置はこの端末からのジョブを円滑に実行でき、新規接続要求を行っている端末装置も長時間待つことはないと考えられることから、ジョブモード特定済み端末装置との接続が継続される。
【００２８】
前項（１５）に記載の発明によれば、ジョブモード特定済み端末装置の電波強度が所定の閾値より大きい場合には、快適な無線通信が行え、ジョブモード特定済み端末装置からのジョブを円滑に実行でき、新規接続要求を行っている端末装置も長時間待つことはないと考えられることから、ジョブモード特定済み端末装置と第１の画像処理装置との接続が継続される。
【００２９】
前項（１６）に記載の発明によれば、ジョブモード特定済み端末装置から受信予定のジョブにおけるデータ容量を取得するとともに、取得したデータ容量が所定の閾値より小さい場合には、ジョブの処理時間が長くないと考えられ、新規接続要求を行っている端末装置も長時間待つことはないと考えられることから、ジョブモード特定済み端末装置との接続を継続して、ジョブモード特定済み端末装置から直接にジョブを受信する。
【００３０】
前項（１７）に記載の発明によれば、自身周辺において有線接続可能な他の画像処理装置のうち、無線接続中の端末装置の数が最も少ない他の画像処理装置が、ジョブモード特定済み端末装置との無線通信を良好に行えることから、この他の画像処理装置と接続するための第１の接続情報をジョブモード特定済み端末装置へ送信する。
【００３１】
前項（１８）に記載の発明によれば、自身周辺において有線接続可能な他の画像処理装置のうち、自装置との距離が最も小さい他の画像処理装置が、ジョブモード特定済み端末装置との距離も最も小さいと考えられ、他の画像処理装置とジョブモード特定済み端末装置との無線通信を良好に行えることから、この他の画像処理装置と接続するための第１の接続情報をジョブモード特定済み端末装置へ送信する。
【００３２】
前項（１９）に記載の発明によれば、無線ネットワーク接続手段と接続中の端末装置の数が上限値に達していると判断され、かつ、接続中の端末装置についてジョブは受信していないがジョブモードは特定済みであると判断された状態において、他の端末装置から無線ネットワーク接続手段に対する新規接続要求があった場合、他の画像処理装置と無線接続するための第１の接続情報を、ジョブは受信していないがジョブモードは特定済みであると判断されたジョブモード特定済み端末装置に通知し、第２の画像処理装置とジョブモード特定済み端末との接続確立後にジョブモード特定済み端末装置との無線接続を切断し、第１の接続情報に基づいてジョブモード特定済み端末装置と無線接続された他の画像処理装置へジョブモード特定済み端末装置から送信されたジョブを、前記他の画像処理装置から受信し、受信したジョブを実行する処理を、画像処理装置のコンピュータに実行させることができる。
【図面の簡単な説明】
【００３３】
【図１】この発明の一実施形態に係るジョブ実行システムの構成図である。
【図２】画像処理装置の電気的な構成を示すブロック図である。
【図３】端末装置の電気的な構成を示すブロック図である。
【図４】ジョブ実行システムにおける各装置間の処理手順を示す図である。
【図５】画像処理装置の動作を示すフローチャートである。
【図６】図５のフローチャートにおけるステップＳ０２のジョブモードの特定処理の一例を示すフローチャートである。
【図７】図５のフローチャートにおけるステップＳ０２のジョブモードの特定処理の他の例を示すフローチャートである。
【図８】図５のフローチャートにおけるステップＳ０５の他のＭＦＰの選択処理の一例を示すフローチャートである。
【図９】端末装置の動作を示すフローチャートである。
【図１０】端末装置からジョブを転送される他の画像処理装置の動作を示すフローチャートである。
【図１１】端末装置の他の動作例を示すフローチャートである。
【図１２】端末装置のさらに他の動作例を示すフローチャートである。
【図１３】端末装置のさらに他の動作例を示すフローチャートである。
【発明を実施するための形態】
【００３４】
以下、この発明の実施形態を図面に基づいて説明する。
【００３５】
図１は、この発明の一実施形態に係るジョブ実行システムの構成図である。このジョブ実行システムは、複数台（この例では３台）の画像処理装置１０〜１２と、複数個（この例では６個）の端末装置３Ａ〜３Ｆを備えている。
【００３６】
画像処理装置１０〜１２はこの実施形態では、コピー機能、プリンタ機能、スキャン機能、ファクシミリ機能等を有する多機能デジタル画像形成装置であるＭＦＰ（Multi Function Peripherals）が用いられている。以下の説明では画像処理装置をＭＦＰとも記す。
【００３７】
図２は画像処理装置１０〜１２の電気的な構成を示すブロック図である。なお、画像処理装置１０〜１２はいずれも同一の構成を有しているため、画像処理装置１０を例にとって説明する。
【００３８】
図２に示すように、ＭＦＰ１０は、制御部２０１、プリンタ２０７、スキャナ２０９、及び操作パネル２１１を備える。制御部２０１は、ＣＰＵ２０２、ＲＡＭ２０３、ＲＯＭ２０４、ハードディスク装置（ＨＤＤ）２１４、プリンタインターフェース（Ｉ／Ｆ）２０６、スキャナＩ／Ｆ２０８、操作パネルＩ／Ｆ２１０、無線ネットワーク接続手段としての無線ＬＡＮ Ｉ／Ｆ２１２、及び有線ネットワーク接続手段としての有線ＬＡＮ Ｉ／Ｆ２１３を備える。制御部２０１内の各デバイスは、システムバス２０５を介して相互に接続されている。
【００３９】
ＣＰＵ２０２を含む制御部２０１は、ＭＦＰ１００の全体の動作を制御する。ＣＰＵ２０２は、ＲＯＭ２０４等に記憶された制御プログラムを読み出して実行することで、通信制御などの各種制御を行う。ＲＡＭ２０３は、ＣＰＵ２０２の主メモリ、ワークエリア等の一時記憶領域として用いられる。ＨＤＤ２１４は、データや各種プログラム、或いは各種情報テーブルを記憶する。
【００４０】
プリンタＩ／Ｆ２０６は、プリンタ２０７（プリンタエンジン）と制御部２０１とを接続する。プリンタ２０７は、プリンタＩ／Ｆ２０６を介して入力された印刷データに基づいて、給紙カセット（図示せず）から給紙されたシートに印刷処理を実行するものであり、ジョブ実行手段の一つとして機能する。スキャナＩ／Ｆ２０８は、スキャナ２０９と制御部２０１とを接続する。スキャナ２０９は、載置された原稿を読み取り、画像データを生成し出力するものであり、ジョブ実行手段の一つとして機能する。スキャナ２０９から出力された画像データは、プリンタ２０７で印刷されたり、ＨＤＤ２１４に記憶されたり、無線ＬＡＮ Ｉ／Ｆ２１２や有線ＬＡＮ Ｉ／Ｆ２１３を介して外部装置に送信されたりする。
【００４１】
操作パネルＩ／Ｆ２１０は、操作パネル２１１と制御部２０１とを接続する。操作パネル２１１には、タッチパネル機能を有する表示部２２０のほか、テンキー、各種ファンクションキー等が備えられている。ユーザーは、操作パネル２１１に表示された画面を確認し、またタッチパネルを用いて様々な指示をＭＦＰ１０に入力することができる。
【００４２】
無線ＬＡＮ Ｉ／Ｆ２１２は、端末装置３Ａ〜３ＦやＰＣ（パーソナルコンピュータ）等の外部装置と無線通信を実行する。また、有線ＬＡＮ Ｉ／Ｆ２１３には、ＬＡＮケーブル（図示せず）が接続され、外部装置と通信（有線通信）を実行する。無線ＬＡＮ Ｉ／Ｆ２１２を介した無線通信または有線ＬＡＮ Ｉ／Ｆ２１３を介した有線通信によって、ＭＦＰ１０は外部装置に各種情報を送信し、また各種情報を外部装置から受信することができる。例えば、ＭＦＰ１０は、端末装置３Ａ〜３Ｅから印刷ジョブを受信し、受信した印刷ジョブに基づいてプリンタ２０７に印刷処理を実行させることができる。また、ＭＦＰ１０は、スキャナ２０９が生成した画像データを外部装置に送信することもできる。
【００４３】
また、この実施形態では、制御部２０１は無線接続された端末装置３Ａ〜３Ｆとの距離や通信時の電波強度を測定できるようになっている。
【００４４】
図３は端末装置３Ａ〜３Ｆの電気的な構成を示すブロック図である。端末装置３Ａ〜３Ｆは、例えばタブレット端末やスマートフォン等の携帯端末装置、あるいはパーソナルコンピュータなどからなる。以下の説明では、端末装置を単に端末ともいう。
【００４５】
なお、端末３Ａ〜３Ｆはいずれも同一の構成を有しているため、端末３Ｅを例にとって説明する。
【００４６】
端末３Ｅは、ＣＰＵ３１１、制御プログラムの格納されたＲＯＭ３１２、ＣＰＵ３０１の作業用のＲＡＭ３１３を備え、ＲＯＭ３１２及びＲＡＭ３１３はそれぞれバスを介してＣＰＵ３１１に接続されている。また、ＣＰＵ３１１、ＲＯＭ３１２及びＲＡＭ３１３により、端末３Ｅの全体を統括的に制御する制御部３１０を形成している。
【００４７】
制御部３１０には、各種の情報を表示するとともに画面を直接タッチして操作入力を行うタッチパネル３３０、無線ＬＡＮインターフェース（Ｉ／Ｆ）３４０が、バスを介してそれぞれ接続されている。無線ＬＡＮＩ／Ｆ３４０は、ＭＦＰ１の無線ＬＡＮＩ／Ｆ２１２と通信を行うためのインターフェースである。
【００４８】
さらに、制御部３１０にはＨＤＤ３２０がバスを介して接続されている。ＨＤＤ３２０には、各種のデータが記憶されている。
【００４９】
また、この実施形態では、制御部３１０は無線接続されたＭＦＰ１０〜１２との距離や通信時の電波強度を測定できるようになっている。
【００５０】
次に、図１に示したジョブ実行システムの動作を説明する。
【００５１】
図１に示すように、各ＭＦＰ１０〜１２は社内ＬＡＮ等の有線ネットワーク４で相互に接続されているものとし、端末３Ａ〜３Ｆは無線ネットワークによりＭＦＰ１０の無線ＬＡＮＩ／Ｆ２１２に接続されるものとする。
【００５２】
ここで、ＭＦＰ１０の無線ＬＡＮＩ／Ｆに接続できる端末の数には上限があり、この実施形態では仮に５個とし、端末３Ａ〜３Ｅが無線接続されている状態とする。
【００５３】
この状態で、端末３ＦからＭＦＰ１０の無線ＬＡＮＩ／Ｆ２１２に新たな接続要求がなされたものとすると、ＭＦＰ１０の無線ＬＡＮＩ／Ｆ２１２には既に上限値である５個の端末３Ａ〜３Ｅが接続されているため、端末３Ｆを接続することはできない。
【００５４】
そこで、この実施形態では、無線ＬＡＮＩ／Ｆ２１２との接続は確立されているが、ジョブは未だ送信されていない端末（例えば端末Ｅ）が存在すれば、その端末３Ｅを第２のＭＦＰである他のＭＦＰ１１に無線ネットワークにより接続させてジョブを他のＭＦＰ１１に転送させ、さらに他のＭＦＰ１１から図１の矢印で示すように本来のＭＦＰ１０に転送させる。そして、端末３Ｅと他のＭＦＰ１１との接続が確立されたときに、端末３ＥとＭＦＰ１０との無線ネットワーク接続を切断して、無線ＬＡＮＩ／Ｆ２１２を端末Ｆに開放するようになっている。
【００５５】
図４に具体的な処理手順を示す。端末３Ａ〜３Ｄが順にＭＦＰ１０の無線ＬＡＮＩ／Ｆ２１２に接続要求を行い、無線ＬＡＮＩ／Ｆ２１２と接続が確立され接続中であるとする。さらに端末３ＥがＭＦＰ１０の無線ＬＡＮＩ／Ｆ２１２に接続要求を行うと、接続数の上限値（５個）には到達していないから、端末３Ｅの接続要求は許容されるが、端末３Ｅの接続によって上限値に達する（図４のＳ１００）。
【００５６】
この状態で、端末３ＦからＭＦＰ１０に新規接続要求があると（Ｓ１０１）、既に上限値に達しているから端末３Ｆは接続待ちとなる（Ｓ１０２）。
【００５７】
端末３Ｅにおいて、ジョブモードの特定に関する操作がＭＦＰ１０に対して行われると（Ｓ１０３）、ＭＦＰ１０によりジョブモードが特定され、ＭＦＰ１０は端末３Ｅとの接続が確立されたものと判断する。
【００５８】
そして、有線ネットワーク４を通じて他のＭＦＰ１１及び１２に接続要求を送信して呼び出し（Ｓ１０４）、他のＭＦＰ１１及び１２から、これらのＭＦＰ１１及び１２に無線ネットワークで接続するための接続先やパスワード等を含む接続情報、その他必要な情報を取得して、ジョブの転送先となるＭＦＰを選択する。そして、選択した他のＭＦＰ（例えばＭＦＰ１１）の接続情報を端末３Ｅに送信する（Ｓ１０５）。
【００５９】
端末３Ｅは、ＭＦＰ１１のＳＳＩＤ（Service Set Identifier）を検索しパスワードを送信してＭＦＰ１１に接続要求を行う（Ｓ１０６）。
【００６０】
ＭＦＰ１１との接続確立後に、端末３ＥはＭＦＰ１０との無線ネットワークの接続を切断する（Ｓ１０７）。また、ＭＦＰ１１との接続確立を通知されたＭＦＰ１０も、端末３Ｅとの無線ネットワークの接続を切断し、これによって端末３ＦがＭＦＰ１０の無線ＬＡＮＩ／Ｆ２１２に接続される（Ｓ１０８）。
【００６１】
端末３Ｅは、接続中のＭＦＰ１１に、ＭＦＰ１０に送信予定のジョブ及びＭＦＰ１０の有線ネットワークによる接続情報を送信する（Ｓ１０９）。ＭＦＰ１０の接続情報はＭＦＰ１０から取得しても良い。ジョブ及びＭＦＰ１０の接続情報を受信したＭＦＰ１１は、接続情報に基づいてＭＦＰ１０の有線ＬＡＮＩ／Ｆ２１３に接続し、端末３Ｅから受信したジョブをＭＦＰ１０に転送する（Ｓ１１０）。
【００６２】
ＭＦＰ１０はＭＦＰ１１から転送されてきたジョブを実行する。
【００６３】
このように、この実施形態では、ＭＦＰ１０と無線ネットワークにより接続中の端末３Ａ〜３Ｅの数が接続可能な上限値に達している状態で、新たな端末３Ｆからの接続要求があった場合には、ジョブは受信していないがジョブモードは特定済みであると判断された接続中のジョブモード特定済みの端末３Ｅからのジョブは、ＭＦＰ１０へ直接に送信されることなく、ＭＦＰ１０と有線接続されたＭＦＰ１１を経由して送信され、また、ジョブモード特定済みの端末３ＥとＭＦＰ１１との無線接続が確立されたときにＭＦＰ１０と端末３Ｅとの無線接続は切断される。従って、新たな接続要求を行った端末３Ｆが、接続中の端末３Ａ〜３Ｅのいずれかからのジョブが終了するまで待つ必要はなくなり、端末３ＥとＭＦＰ１０との無線接続が切断されたときに、端末３Ｆは速やかにＭＦＰ１０と無線接続することができる。しかも、接続中の端末３Ａ〜３Ｅからのジョブの投入後や投入前に、接続中の端末３Ａ〜３Ｅの無線接続を強制的に切断する構成ではないから、強制的に切断した場合の問題も生じない。
【００６４】
図５は、ＭＦＰ１０の動作を示すフローチャートである。この動作はＭＦＰ１０のＣＰＵ２０２がＲＯＭ２０４等に格納された動作プログラムに従って動作することにより実行される。
【００６５】
ステップＳ００では、無線ＬＡＮＩ／Ｆ２１２への接続要求があるかどうかを判断し、無ければ（ステップＳ００でＮＯ）、接続要求があるまで待つ。接続要求があると（ステップＳ００でＹＥＳ）、ステップＳ０１で端末との接続数に余裕があるかどうかを判定する。余裕がなければ（ステップＳ０１でＮＯ）、余裕ができるまで接続待ちの状態となる。余裕がある場合（ステップＳ０１でＹＥＳ）、ステップＳ０２で、接続要求を行った端末（例えば端末３Ｅ）に対するジョブモードの特定処理を実行する。この処理については後述する。
【００６６】
次いで、ステップＳ０３で、無線ＬＡＮＩ／Ｆ２１２と端末との接続数は上限値に到達したかどうかを調べる。上限値に到達していれば（ステップＳ０３でＹＥＳ）、ステップＳ０４で、端末（例えば端末３Ｆ）から無線ＬＡＮＩ／Ｆ２１２との新規の接続要求があったかどうかを判定する。あれば（ステップＳ０４でＹＥＳ）、ステップＳ０５で、端末３Ｅのジョブの転送先となる他のＭＦＰの選択処理を実施した後、ステップＳ０６に進む。他のＭＦＰの選択処理については後述する。
【００６７】
ステップＳ０６では、選択された他のＭＦＰ（例えばＭＦＰ１１）の接続情報を端末３Ｅに通知する。次いで、ステップＳ０７で、端末３Ｅと他のＭＦＰ１１との接続が確立されたかどうかを、端末３Ｅからの通知により判断する。端末３Ｅと他のＭＦＰ１１との接続が確立された場合（ステップＳ０７でＹＥＳ）、ステップＳ０８で、端末３Ｅとの接続を切断する。この切断により、接続数に余裕ができることになり、新規接続要求を行った端末３Ｆは接続が許可される。
【００６８】
次いでステップＳ０９で、他のＭＦＰ１１から端末３Ｅのジョブを受信したかどうかを判断する。受信しなければ（ステップＳ０９でＮＯ）、受信するのを待つ。受信すると（ステップＳ０９でＹＥＳ）、ステップＳ１０で、受信したジョブを実行する。
【００６９】
ステップＳ０３で、無線ＬＡＮＩ／Ｆ２１２と端末との接続数が上限値に到達していない場合（ステップＳ０３でＮＯ）、ステップＳ０４で、端末から無線ＬＡＮＩ／Ｆ２１２との新規の接続要求がない場合（ステップＳ０４でＮＯ）、ステップＳ０７で、端末３Ｅと他のＭＦＰ１１との接続が確立されなかった場合（ステップＳ０７でＮＯ）は、通常と同様に、いずれもステップＳ１１で端末３Ｅからジョブを受信した後、ステップＳ１１でジョブを実行する。従ってこの場合は、端末３Ｆは既に接続中の端末３Ａ〜３Ｅのうち何れかのジョブが終了し、接続が切断されるまで接続待ちとなる。
【００７０】
以上説明したステップＳ０１〜１１の処理が、接続要求を行った各端末について実行される。
【００７１】
図６は、図５のフローチャートにおけるステップＳ０２のジョブモードの特定処理の一例を示すフローチャートである。
【００７２】
ステップＳ０２１では端末３Ｅから操作がなされるのを待ち（ステップＳ０２１でＮＯ）、操作がなされると（ステップＳ０２１でＹＥＳ）、ステップＳ０２２で、その操作がプログラム登録機能の選択かまたはジョブ開始要求の操作かどうかを判断する。プログラム登録機能とはジョブのモードを予めＭＦＰ１０にプログラム登録しておき、この登録されたプログラムを端末３Ｅから指定することにより、登録内容のジョブモードを指定する機能をいう。端末３Ｅの操作がプログラム登録機能の選択かまたはジョブ開始要求の操作であれば（ステップＳ０２２でＹＥＳ）、ジョブモードが特定されたと判断してリターンする。端末３Ｅの操作がプログラム登録機能の選択でもジョブ開始要求の操作でもなければ（ステップＳ０２２でＮＯ）、ステップＳ０２１に戻り操作を待つ。
【００７３】
図７は、図５のフローチャートにおけるステップＳ０２のジョブモードの特定処理の他の例を示すフローチャートである。
【００７４】
ステップＳ０２３では端末３Ｅで実行中のアプリケーションを特定したのち、ステップＳ０２４で、特定したアプリケーションで操作可能なジョブのモードを取得したのち、リターンする。例えば実行中のアプリケーションがプリンタドライバであれば、ジョブのモードは印刷モードであると判断する。
【００７５】
図８は、図５のフローチャートにおけるステップＳ０５の他のＭＦＰの選択処理の一例を示すフローチャートである。
【００７６】
ステップＳ０５１では、他のＭＦＰ１１，１２と有線ＬＡＮＩ／Ｆ２１３を介して通信を行い、各ＭＦＰ１１、１２のパスワード等を含む無線ネットワークの接続情報等を収集する。
【００７７】
次いでステップＳ０５２で、自装置と有線接続可能な他のＭＦＰが複数存在しているかどうかを判定する。１個のみであれば（ステップＳ０５２でＮＯ）、ステップＳ０５５で、そのＭＦＰを他のＭＦＰとして選択した後リターンする。
【００７８】
複数のＭＦＰが存在する場合（ステップＳ０５２でＹＥＳ）、ステップＳ０５３で、各ＭＦＰにおける現在無線接続中の端末の数を取得した後、ステップＳ０５４で、現在無線接続中の最も少ない端末数のＭＦＰが１つかどうかを判定する。１つの場合（ステップＳ０５４でＹＥＳ）、ステップＳ０５６で、最も少ない端末数のＭＦＰを選択した後リターンする。現在無線接続中の端末数が最も少ないＭＦＰを選択することで、端末３Ｅが他のＭＦＰに対して接続待ちとなる危険性を低減できる。
【００７９】
ステップＳ０５４において、現在無線接続中の最も少ない端末数のＭＦＰが複数存在する場合は（ステップＳ０５４でＮＯ）、ステップＳ０５７で、自装置から各ＭＦＰまでの距離を測定した後、ステップＳ０５８で、最も距離の近いＭＦＰを選択した後リターンする。自装置と最も距離の近いＭＦＰは端末３Ｅとの距離も近いと予想され、ＭＦＰと端末３Ｅとの無線通信を良好に行え、ジョブの転送を確実に行えることが期待できる。
【００８０】
なお、自装置から各ＭＦＰまでの距離の測定は、ＧＰＳ等による位置情報を利用して行っても良いし、各ＭＦＰとの距離をテーブルとして予め保存しておき、このテーブルを用いることにより行っても良い。
【００８１】
図８の例では、ステップＳ０５２で複数のＭＦＰが存在する場合（ステップＳ０５２でＹＥＳ）、ステップＳ０５３で各ＭＦＰにおける現在無線接続中の端末の数を取得し、ステップＳ０５４で、現在無線接続中の最も少ない端末数のＭＦＰが１つかどうかを判定したが、ステップＳ０５２で複数のＭＦＰが存在する場合（ステップＳ０５２でＹＥＳ）、ステップＳ０５３で各ＭＦＰまでの距離を測定した後、最も短い距離のＭＦＰを選択しても良い。
【００８２】
図９は、端末３Ｅの動作を示すフローチャートである。この動作は端末３ＥのＣＰＵ３１１がＲＯＭ３１２等に格納された動作プログラムに従って動作することにより実行される。
【００８３】
ステップＳ３１で、ユーザーがＭＦＰ１０の無線ＬＡＮＩ／Ｆ２１２との接続操作を行うと、ステップＳ３１で、ＭＦＰ１０と接続されたかどうかを判断し、接続されていなければ（ステップＳ３１でＮＯ）、接続されるまで待つ。接続されると（ステップＳ３１でＹＥＳ）、ステップＳ３２でジョブモード特定に関する操作情報を送信し、ステップＳ３３でジョブ投入操作禁止時間を設定する。
【００８４】
ステップＳ３４では、操作禁止時間が経過したかどうかを調べ、経過していなければ（ステップＳ３４でＮＯ）、ＭＦＰ１１の接続情報をＭＦＰ１０から受信したかどうかを判定する。受信していなければ（ステップＳ３５でＮＯ）、ステップＳ３４に戻る。操作禁止時間中にＭＦＰ１１の接続情報をＭＦＰ１０から受信しない場合（ステップＳ３４でＹＥＳ）、通常通り、ステップＳ４１でＭＦＰ１０にジョブを送信する。
【００８５】
ジョブ投入操作禁止時間中にＭＦＰ１１の接続情報をＭＦＰ１０から受信した場合は（ステップＳ３５でＹＥＳ）、ステップＳ３６で、ＭＦＰ１１のＳＳＩＤを検索した後、ステップＳ３７で、ＭＦＰ１１へパスワードを送信して無線接続を確立する。接続確立後、ステップＳ３８で、接続が確立されたことをＭＦＰ１０に通知する。
【００８６】
このように、ジョブ投入操作禁止時間中に、ＭＦＰ１０からＭＦＰ１１の接続情報を受信した場合、ＭＦＰ１１のＳＳＩＤを検索し、ＭＦＰ１１にパスワードを送信し、ＭＦＰ１１と無線接続が確立された場合に、ＭＦＰ１１へＭＦＰ１０の接続情報とジョブが送信されるから、端末３ＥとＭＦＰ１１との無線接続を確実に行うことができる。一方、ジョブ投入操作禁止時間に、ＭＦＰ１０からＭＦＰ１１の接続情報を受信しなかった場合には、ＭＦＰ１０との接続が継続されるから、ＭＦＰ１０との接続が不本意に中断されるのを防止できる。
【００８７】
次にステップＳ３９でＭＦＰ１０との接続を切断した後、ステップＳ４０で、ジョブ及び有線ネットワークによるＭＦＰ１０の接続情報をＭＦＰ１１へ送信する。ＭＦＰ１０の接続情報は端末３Ｅ内に保存されている場合はそれを用いれば良いし、ＭＦＰ１１の接続情報と共にＭＦＰ１０から端末３Ｅに送信されても良い。
【００８８】
なお、端末３Ｅはジョブ等の送信後、ＭＦＰ１１との接続を切断しても良いが、例えばジョブがＭＦＰ１０内の記憶領域であるボックスに保存されている文書の端末３Ｅへの転送ジョブであるような場合は、ＭＦＰ１１との接続を継続し、ＭＦＰ１１を経由してＭＦＰ１０から文書を取得しても良い。
【００８９】
図１０は、端末３Ｅからジョブを転送されるＭＦＰ１１の動作を示すフローチャートである。この動作はＭＦＰ１１のＣＰＵ２０２がＲＯＭ２０４等に格納された動作プログラムに従って動作することにより実行される。
【００９０】
ステップＳ５１で、有線ネットワークによるＭＦＰ１０からの問い合わせを待ち（ステップＳ５１でＮＯ）、問い合わせがあると（ステップＳ５１でＹＥＳ）、ステップＳ５２で、自身の無線ＬＡＮＩ／Ｆ２１２へのパスワードを含む接続情報を通知する。
【００９１】
次いでステップＳ５３で、端末３Ｅから無線接続要求があるかどうかを判断し、なければ（ステップＳ５３でＮＯ）、ステップＳ５１に戻る。端末３Ｅから無線接続要求があると（ステップＳ５３でＹＥＳ）、ステップＳ５４で、端末３Ｅと接続した後、ステップＳ５５で、ジョブ及びＭＦＰ１０の有線接続情報を受信し、ステップＳ５６で、受信した有線接続情報に基づいてＭＦＰ１０に接続し、ジョブを転送する。
【００９２】
図１１は端末３Ｅの他の動作例を示すフローチャートである。この例では、端末３ＥがＭＦＰ１０からＭＦＰ１１の接続情報を受信したとしても、端末３ＥとＭＦＰ１０との距離が近い場合は、通常通りＭＦＰ１０との接続を継続してＭＦＰ１０にジョブを送信する構成となっている。
【００９３】
端末３ＥとＭＦＰ１０との距離が近い場合には、快適な無線通信が行え、ＭＦＰ１０は端末３Ｅからのジョブを円滑に実行でき、新規接続要求を行っている端末３Ｆも長時間待つことはないと考えられることから、端末３ＥとＭＦＰ１０との接続を継続することとしたものである。
【００９４】
図１１に示すフローチャートは、図９のフローチャートのステップＳ３５の処理とステップＳ３６の処理間に、ステップＳ４２の処理とステップＳ４３の処理が介在されている点を除き、図９のフローチャートと同じであるので、同一のステップには同一のステップ番号を付し、詳細な説明は省略する。
【００９５】
ステップＳ３５で、操作禁止時間中にＭＦＰ１１の接続情報をＭＦＰ１０から受信した場合は（ステップＳ３５でＹＥＳ）、ステップＳ４２に進み、ＭＦＰ１０との距離を測定する。測定はＧＰＳ機能等を使用した公知の方法により行えば良い。
【００９６】
そして、ステップＳ４３で、測定した距離が予め設定された閾値よりも小さいか否かを判断する。小さい場合は（ステップＳ４３でＹＥＳ）、ステップＳ４１に進み、ＭＦＰ１０との無線接続を継続してジョブをＭＦＰ１０に送信する。
【００９７】
測定した距離が閾値よりも小さくない場合は（ステップＳ４３でＮＯ）、ステップＳ３６に進み、ＭＦＰ１１のＳＳＩＤを検索する。
【００９８】
なお、端末３ＥがＭＦＰ１０との距離を測定するのではなく、ＭＦＰ１０が端末３Ｅとの距離を測定し、閾値よりも小さい場合はＭＦＰ１１の接続情報を端末３Ｅに送信することなく、端末３Ｅとのとの無線接続を継続してもよい。
【００９９】
図１２は端末３Ｅの他の動作例を示すフローチャートである。この例では、端末３ＥがＭＦＰ１０からＭＦＰ１１の接続情報を受信したとしても、ＭＦＰ１０の電波強度が強い場合は、通常通りＭＦＰ１０との接続を継続してＭＦＰ１０にジョブを送信する構成となっている。
【０１００】
ＭＦＰ１０の電波強度が強い場合には、安定した快適な無線通信が行え、ＭＦＰ１０は端末３Ｅからのジョブを円滑に実行でき、新規接続要求を行っている端末３Ｆも長時間待つことはないと考えられることから、端末３ＥとＭＦＰ１０との接続を継続することとしたものである。
【０１０１】
図１２に示すフローチャートは、図９のフローチャートのステップＳ３５の処理とステップＳ３６の処理間に、ステップＳ４４の処理とステップＳ４５の処理が介在されている点を除き、図９のフローチャートと同じであるので、同一のステップには同一のステップ番号を付し、詳細な説明は省略する。
【０１０２】
ステップＳ３５で、操作禁止時間中にＭＦＰ１１の接続情報をＭＦＰ１０から受信した場合は（ステップＳ３５でＹＥＳ）、ステップＳ４４に進み、ＭＦＰ１０の電波強度を測定する。
【０１０３】
そして、ステップＳ４５で、測定した電波強度が予め設定された閾値よりも大きいか否かを判断する。大きい場合は（ステップＳ４５でＹＥＳ）、ステップＳ４１に進み、ＭＦＰ１０との無線接続を継続してジョブをＭＦＰ１０に送信する。
【０１０４】
測定した電波強度が閾値よりも大きくない場合は（ステップＳ４５でＮＯ）、ステップＳ３６に進み、ＭＦＰ１１のＳＳＩＤを検索する。
【０１０５】
なお、端末３ＥがＭＦＰ１０の電波強度を測定するのではなく、ＭＦＰ１０が端末３Ｅの電波強度を測定し、閾値よりも大きい場合はＭＦＰ１１の接続情報を端末３Ｅに送信することなく、端末３Ｅとのとの無線接続を継続してもよい。
【０１０６】
図１３は端末３Ｅの他の動作例を示すフローチャートである。この例では、端末３ＥがＭＦＰ１０からＭＦＰ１１の接続情報を受信したとしても、端末３ＥからＭＦＰ１０へ送信予定のジョブのデータ容量が小さい場合は、通常通りＭＦＰ１０との接続を継続してＭＦＰ１０にジョブを送信する構成となっている。
【０１０７】
端末３Ｅのジョブのデータ容量が小さい場合には、ジョブの処理時間が長くないと考えられ、新規接続要求を行っている端末３Ｆも長時間待つことはないと考えられることから、端末３ＥとＭＦＰ１０との接続を継続することとしたものである。
【０１０８】
図１３に示すフローチャートは、図９のフローチャートのステップＳ３５の処理とステップＳ３６の処理間に、ステップＳ４６の処理とステップＳ４７の処理が介在されている点を除き、図９のフローチャートと同じであるので、同一のステップには同一のステップ番号を付し、詳細な説明は省略する。
【０１０９】
ステップＳ３５で、操作禁止時間中にＭＦＰ１１の接続情報をＭＦＰ１０から受信した場合は（ステップＳ３５でＹＥＳ）、ステップＳ４２に進み、ジョブのデータ容量を取得する。
【０１１０】
そして、ステップＳ４７で、取得したデータ容量が予め設定された閾値よりも小さいか否かを判断する。小さい場合は（ステップＳ４７でＹＥＳ）、ステップＳ４１に進み、ＭＦＰ１０との無線接続を継続してジョブをＭＦＰ１０に送信する。
【０１１１】
取得したデータ容量が閾値よりも小さくない場合は（ステップＳ４７でＮＯ）、ステップＳ３６に進み、ＭＦＰ１１のＳＳＩＤを検索する。
【０１１２】
なお、端末３Ｅがジョブのデータ容量を取得するのではなく、ＭＦＰ１０が端末３Ｅからジョブのデータ容量を取得し、閾値よりも小さい場合はＭＦＰ１１の接続情報を端末３Ｅに送信することなく、端末３Ｅとの無線接続を継続してもよい。
【符号の説明】
【０１１３】
１０〜１２  画像処理装置
２０１    制御部
２０２    ＣＰＵ
２１１    操作パネル
２１２    無線ＬＡＮインターフェース
２１３    有線ＬＡＮインターフェース
３Ａ〜３Ｆ  端末装置
４  有線ネットワーク
【図１】
0006610356.tif 000002
【図２】
0006610356.tif 000003
【図３】
0006610356.tif 000004
【図４】
0006610356.tif 000005
【図５】
0006610356.tif 000006
【図６】
0006610356.tif 000007
【図７】
0006610356.tif 000008
【図８】
0006610356.tif 000009
【図９】
0006610356.tif 000010
【図１０】
0006610356.tif 000011
【図１１】
0006610356.tif 000012
【図１２】
0006610356.tif 000013
【図１３】
0006610356.tif 000014